(57)【特許請求の範囲】
【請求項１】
建築物の出隅部に出隅柱を配設してなる出隅部施工構造において，
該出隅部施工構造は，上記建築物の構造躯体に下地材を介して，上記出隅柱及び該出隅柱の左右に配された窯業系材料からなる外壁板とを留め付けてなり，
上記出隅柱は，一体的に形成された窯業系材料からなる出隅本体と，該出隅本体に固定された取付板とを有し，上記出隅本体は，上記出隅部の外側に配される出隅意匠面と，該出隅意匠面の反対側に形成された平面状の出隅背面と，該出隅背面の左右端から斜め前方へ向って形成された出隅側端面とを有しており，上記取付板は，上記出隅本体の上記出隅背面に固定する平板状の固定板部と，該固定板部の左右端からそれぞれ左右斜め後方に延設された脚板部とを有し，
上記出隅意匠面は，上記出隅背面と略平行に形成された平面状の平坦部と，該平坦部の左右において斜め後方に後退した傾斜部を有し，
上記構造躯体の前面には防水紙が貼設してあり，
上記出隅柱は，上記取付板の上記脚板部において上記下地材を介して上記構造躯体に固定されており，
上記出隅本体における上記出隅側端面は，上記左右の外壁板の外壁側端面に対向していると共に，上記出隅側端面と上記外壁板の外壁側端面との間には，目地処理材が配設してあり，
また，最下段の上記外壁板の下方であって上記構造躯体における土台部には外壁用土台水切が配設してあると共に，上記土台部における出隅部には，出隅用土台水切が上記外壁用土台水切と連続して配設してあり，
上記出隅用土台水切は，互いに上記出隅部の角度と略同等の角度をもって形成され，上記構造躯体に固定する一対の背板部と，該一対の背板部の下方においてそれぞれ前方下方へ屈曲した水切板部とを有し，
また，上記出隅部施工構造は，上記出隅柱の上端部を収容する上端収容部と該上端収容部の左右において最上段の上記外壁板の上辺部を収容する一対の上辺収容部とを有する出隅用見切縁を，軒天部に配設してなり，
上記出隅用見切縁には，上記出隅柱の後方における通気層への外気の導入・排出を行うための通気孔が形成してあり，
かつ，上記出隅用見切縁の左右には，最上段の上記外壁板の上辺部を収容する上辺収容部を有する外壁用見切縁が，上記出隅用見切縁の上辺収容部の延長上に配設してあり，
上記出隅用見切縁の上端収容部には，上記出隅本体の上端部が収容され，上記出隅用見切縁の上辺収容部及び上記外壁用見切縁の上辺収容部には，上記出隅柱の取付板の上端部及び上記外壁板の上辺部の一部が収容され，
上記出隅用見切縁の上端収容部の前面は，上記出隅意匠面の上記平坦部と平行に配され，上記出隅用見切縁の上辺収容部の前面及び上記外壁用見切縁の上辺収容部の前面は，上記出隅意匠面の上記傾斜部及び上記外壁板の外壁意匠面と平行に配されることを特徴とする出隅部施工構造。
【請求項２】
請求項１において，上記出隅柱の下端部は，上記出隅用土台水切の水切板部よりも，１０〜１５ｍｍ上方に配置していることを特徴とする出隅部施工構造。
【発明の詳細な説明】
【０００１】
【技術分野】
本発明は，建築物の出隅部に出隅柱を配設すると共に該出隅柱の左右に外壁板を配設してなる出隅部施工構造を構築する出隅部施工方法，及び出隅部施工構造に関する。
【０００２】
【従来技術】
従来より，図１７に示すごとく，左右２枚の板片９１を，互いに略直角となるように接合してなる出隅柱９を，建築物の出隅部に配設する出隅部施工方法がある。上記出隅柱９は，例えば以下のごとく製造する。
【０００３】
まず，図１３に示すごとく，窯業系外壁板などの板材９１０を切断して，適当な大きさに板片９１を切り出す。次いで，図１４に示すごとく，該板片９１の一方の側端部９１１を斜めに切り落し，表側面９１２及び裏側面９１３に対して約４５°の角度をなす切断面９１４を形成する。また，表側面９１２の端部９１６についても，欠け防止のため，面取りしておく。
【０００４】
次いで，図１５，図１６に示すごとく，２枚の上記板片９１の上記切断面９１４同士を突き合せ，２枚の板片９１の表側面９１２が略直角となるように接合する。このとき，２枚の板片９１の上記切断面９１４の間には，接着剤９２を介在させる。これにより，上記２枚の板片９１を接着する。
また，上記２枚の板片９１の接合部９３には，タッカー９４を打ち込み，接合強度を確保する。
次いで，図１７に示すごとく，上記接合部９３の外側角部９３１を面取り切断し，該外側角部９３１の欠けを防止すると共に外観意匠性を向上させる。
【０００５】
【解決しようとする課題】
しかしながら，上記従来の出隅柱９は，上述のごとく，接着剤９２を用いて２枚の板片９１を接着する。そのため，接着剤９２を乾燥させる必要があり，製造に時間がかかる。また，２枚の板片９１の突合せ角度（例えば略９０°）を保持した状態で乾燥させるための保持治具が必要である。
【０００６】
また，上記接着剤９２が接合部９３からはみ出すこともあり，出隅柱９の外観意匠性を低下させるおそれがある。それ故，この場合には，はみ出した接着剤９２を削り取る必要がある。
また，上述のごとく，上記接合部９３にタッカー９４を打ったり，上記接合部９３の外側角部９３１を面取り切断する必要もある。そして，面取り面を後から補修塗装する必要もある。
【０００７】
更には，上記板片９１の表側面９１２に柄模様が形成されている場合に，その柄模様が上記接合部９３の左右においてずれると，違和感を生じ，出隅柱９の外観意匠性が低下するおそれがある。
また，それ故，左右の板片９１を接合するにあたっては，左右の板片９１の柄模様がずれないよう位置合わせを慎重に行う必要がある。
【０００８】
本発明は，かかる従来の問題点に鑑みてなされたもので，製造容易，安価かつ外観意匠性に優れた出隅柱を用いた出隅部施工方法及び出隅部施工構造を提供しようとするものである。
【０００９】
【課題の解決手段】
建築物の出隅部に出隅柱を配設すると共に該出隅柱の左右に外壁板を配設してなる出隅部施工構造を構築する出隅部施工方法において，
上記出隅柱は，一体的に形成された出隅本体と，該出隅本体に固定された取付板とを有し，上記出隅本体は，上記出隅部の外側に配される出隅意匠面と，該出隅意匠面の反対側に形成された平面状の出隅背面と，該出隅背面の左右端から斜め前方へ向って形成された出隅側端面とを有しており，上記取付板は，上記出隅本体の上記出隅背面に固定する平板状の固定板部と，該固定板部の左右端からそれぞれ左右斜め後方に延設された脚板部とを有しており，
上記出隅部施工構造を構築するに当っては，第１工程として，上記建築物の構造躯体における土台部に外壁用土台水切を配設すると共に，上記土台部における出隅部には出隅用土台水切を，上記外壁用土台水切と連続して配設し，
第２工程として，上記構造躯体の前面に防水紙を貼設すると共に，該防水紙を介して，胴縁等の下地材を上記構造躯体に固定し，
第３工程として，上記出隅柱を，上記取付板の上記脚板部において上記下地材に固定し，
第４工程として，上記出隅本体における上記出隅側端面に上記左右の外壁板の外壁側端面を対向させた状態で，該外壁板を上記下地材に固定し，
第５工程として，上記出隅側端面と上記外壁板の外壁側端面との間に，目地処理材を打設することを特徴とする出隅部施工方法がある。
【００１０】
上記出隅本体は一体的に形成され，接合部を有しないため，外観意匠性に優れた出隅部施工構造を構築することができる。
また，上記出隅部施工方法により得られる出隅部施工構造は，上記出隅柱の出隅意匠面によって，出隅部を面取りした外形に構成することができる。これにより，出隅部施工構造の外観が緩やかな印象となり，外観意匠性を向上させることができる。
【００１１】
また，上記出隅本体は，上述のごとく一体的に形成されているため，上記出隅本体の製造にあたっては，接合，接着の工程を必要としない。それ故，上記出隅本体は製造が容易であり，その結果，出隅柱の製造が容易となる。これにより，上記出隅部施工構造を安価に得ることが可能となる。
また，上記出隅柱は上記取付板を有し，該取付板における脚板部において，下地材及び構造躯体に上記出隅柱を固定することができる。そのため，上記出隅柱を容易に施工することができる。
【００１２】
また，上記出隅部には上記出隅用土台水切を用いるため，容易に，土台部の外観意匠性，防水性に優れた出隅部施工構造を構築することができる。また，上記出隅用土台水切を配設することにより，出隅部施工構造の通気性を確保することができる。
また，上記第５工程において，上記目地処理材を打設することにより，出隅柱と外壁板との間からの雨水の浸入を防ぎ，耐久性に優れた出隅部施工構造を構築することができる。
【００１３】
以上のごとく，製造容易，安価かつ外観意匠性に優れた出隅柱を用いた出隅部施工方法を提供することができる。
【００１４】
本発明は，建築物の出隅部に出隅柱を配設してなる出隅部施工構造において，
該出隅部施工構造は，上記建築物の構造躯体に下地材を介して，上記出隅柱及び該出隅柱の左右に配された窯業系材料からなる外壁板とを留め付けてなり，
上記出隅柱は，一体的に形成された窯業系材料からなる出隅本体と，該出隅本体に固定された取付板とを有し，上記出隅本体は，上記出隅部の外側に配される出隅意匠面と，該出隅意匠面の反対側に形成された平面状の出隅背面と，該出隅背面の左右端から斜め前方へ向って形成された出隅側端面とを有しており，上記取付板は，上記出隅本体の上記出隅背面に固定する平板状の固定板部と，該固定板部の左右端からそれぞれ左右斜め後方に延設された脚板部とを有し，
上記出隅意匠面は，上記出隅背面と略平行に形成された平面状の平坦部と，該平坦部の左右において斜め後方に後退した傾斜部を有し，
上記構造躯体の前面には防水紙が貼設してあり，
上記出隅柱は，上記取付板の上記脚板部において上記下地材を介して上記構造躯体に固定されており，
上記出隅本体における上記出隅側端面は，上記左右の外壁板の外壁側端面に対向していると共に，上記出隅側端面と上記外壁板の外壁側端面との間には，目地処理材が配設してあり，
また，最下段の上記外壁板の下方であって上記構造躯体における土台部には外壁用土台水切が配設してあると共に，上記土台部における出隅部には，出隅用土台水切が上記外壁用土台水切と連続して配設してあり，
上記出隅用土台水切は，互いに上記出隅部の角度と略同等の角度をもって形成され，上記構造躯体に固定する一対の背板部と，該一対の背板部の下方においてそれぞれ前方下方へ屈曲した水切板部とを有し，
また，上記出隅部施工構造は，上記出隅柱の上端部を収容する上端収容部と該上端収容部の左右において最上段の上記外壁板の上辺部を収容する一対の上辺収容部とを有する出隅用見切縁を，軒天部に配設してなり，
上記出隅用見切縁には，上記出隅柱の後方における通気層への外気の導入・排出を行うための通気孔が形成してあり，
かつ，上記出隅用見切縁の左右には，最上段の上記外壁板の上辺部を収容する上辺収容部を有する外壁用見切縁が，上記出隅用見切縁の上辺収容部の延長上に配設してあり，
上記出隅用見切縁の上端収容部には，上記出隅本体の上端部が収容され，上記出隅用見切縁の上辺収容部及び上記外壁用見切縁の上辺収容部には，上記出隅柱の取付板の上端部及び上記外壁板の上辺部の一部が収容され，
上記出隅用見切縁の上端収容部の前面は，上記出隅意匠面の上記平坦部と平行に配され，上記出隅用見切縁の上辺収容部の前面及び上記外壁用見切縁の上辺収容部の前面は，上記出隅意匠面の上記傾斜部及び上記外壁板の外壁意匠面と平行に配されることを特徴とする出隅部施工構造にある（請求項１）。
【００１５】
上記出隅本体は一体的に形成され，接合部を有しないため，外観意匠性に優れている。
また，上記出隅部施工構造は，上記出隅柱の出隅意匠面によって，出隅部を面取りした外形に構成することができる。これにより，出隅部施工構造の外観が緩やかな印象となり，外観意匠性を向上させることができる。
【００１６】
また，上記出隅本体は，上述のごとく一体的に形成されているため，上記出隅本体の製造にあたっては，接合，接着の工程を必要としない。それ故，上記出隅本体は製造が容易であり，その結果，出隅柱の製造が容易となる。これにより，上記出隅部施工構造を安価に得ることが可能となる。
また，上記出隅柱は上記取付板を有し，該取付板における脚板部において，下地材及び構造躯体に上記出隅柱を固定することができる。そのため，上記出隅柱を容易に施工することができる。
【００１７】
また，上記出隅部には上記出隅用土台水切を用いるため，容易に，土台部の外観意匠性，防水性に優れた出隅部施工構造を構築することができる。また，上記出隅用土台水切を配設することにより，出隅部施工構造の通気性を確保することができる。
また，出隅柱と外壁板との間には上記目地処理材を打設してあるため，出隅柱と外壁板との間からの雨水の浸入を防ぎ，耐久性に優れた出隅部施工構造を構築することができる。
【００１８】
以上のごとく，本発明によれば，製造容易，安価かつ外観意匠性に優れた出隅柱を用いた出隅部施工方法を提供することができる。
【００１９】
【発明の実施の形態】
本発明（請求項１）において，上記取付板は，例えば厚み０．３〜１．０ｍｍの金属板を折り曲げ加工してなる。また，該金属板の材質としては，例えば，メッキ鋼板，ステンレス鋼板等を用いることができる。また，上記取付板は，アルミや樹脂等の押出成形等によって形成することもできる。
【００２０】
また，「一体的に形成」とは，複数の部材を接合して形成することなく，例えば，一体成形により形成したり，一体成形体等を切断，切削加工して形成したりすることをいう。以下においても同様である。
なお，本明細書においては，上記出隅柱を施工した状態において，上，下，左，右となる向きを，それぞれ，上，下，左，右として表す。
また，左右一対の上記脚板部が互いになす角度は，直角に限らず鋭角や鈍角にすることもでき，例えば６０〜１２０°とすることができる。
【００２１】
また，上記出隅用土台水切は，上記出隅柱の出隅意匠面を伝ってきた雨水を前方へ排出することができるよう構成されている。同様に，上記外壁用土台水切は，上記外壁板の外壁意匠面を伝ってきた雨水を前方へ排出することができるよう構成されている。
【００２２】
また，上記第３工程を行う際に，上記建築物の軒天部に出隅用見切縁を配設し，該出隅用見切縁の上端収容部に上記出隅柱の上端部を収容し，上記第４工程を行うに当っては，上記軒天部に上記出隅用見切縁と連続して外壁用見切縁を配設し，該外壁用見切縁の上辺収容部に，最上段の外壁板の上辺部を収容することが好ましい。
【００２３】
上記出隅用見切縁を用いることにより，容易に，軒天部における外観意匠性を向上させると共に，出隅部施工構造の通気性を向上させることができる。
また，上記出隅用見切縁の上端収容部に上記出隅柱の上端部を収容させることにより，上記出隅柱の長さに多少の誤差があっても，外観に影響を与えることがないため，外観意匠性に優れた出隅部施工構造を容易に構築することができる。
【００２４】
また，上記出隅柱の下端部は，上記出隅用土台水切の水切板部よりも，１０〜１５ｍｍ上方に配置していることが好ましい（請求項２）。
この場合には，通気性，外観意匠性に一層優れた出隅部施工構造を得ることができる。
上記出隅柱の下端部と水切板部との間の間隔が１０ｍｍ未満の場合には，上記出隅柱の後方へ外気を充分に導入することが困難となるおそれがある。加えて，上記出隅柱の下端部と出隅用土台水切との間に雨水が滞留するおそれがある。一方，上記間隔が１５ｍｍを超える場合には，土台部の外観意匠性が低下するおそれがある。
【００２５】
また，上記出隅部施工構造は，上記出隅柱の上端部を収容する上端収容部を有する出隅用見切縁を，軒天部に配設してなり，上記出隅用見切縁には，上記出隅柱の後方における通気層への外気の導入・排出を行うための通気孔が形成してあり，かつ，上記出隅用見切縁の左右には，最上段の上記外壁板の上辺部を収容する上辺収容部を有する外壁用見切縁が配設してある。
【００２６】
上記出隅用見切縁を用いることにより，容易に，軒天部における外観意匠性を向上させると共に，出隅部施工構造の通気性を向上させることができる。
また，上記出隅用見切縁の上端収容部に上記出隅柱の上端部を収容させることにより，上記出隅柱の長さに多少の誤差があっても，外観に影響を与えることがないため，外観意匠性に優れた出隅部施工構造を容易に構築することができる。
【００２７】
【実施例】
本発明の実施例にかかる出隅部施工方法及び出隅部施工構造につき，図１〜図１２を用いて説明する。
本例の出隅部施工方法は，図１，図２に示すごとく，建築物の出隅部に出隅柱１を配設すると共に該出隅柱１の左右に外壁板５を配設してなる出隅部施工構造４を構築する方法である。
【００２８】
上記出隅柱１は，図２，図３に示すごとく，一体的に形成された出隅本体２と，該出隅本体２に固定された取付板３とを有する。
上記出隅本体２は，上記出隅部の外側に配される出隅意匠面２１と，該出隅意匠面２１の反対側に形成された平面状の出隅背面２２と，該出隅背面２２の左右端から斜め前方へ向って形成された出隅側端面２３とを有している。
上記取付板３は，上記出隅本体２の上記出隅背面２２に固定する平板状の固定板部３１と，該固定板部３１の左右端からそれぞれ左右斜め後方に延設された脚板部３２とを有している。
【００２９】
上記出隅部施工構造４を構築するに当っては，以下の第１工程〜第５工程を行う。第１工程においては，図４に示すごとく，上記建築物の構造躯体４１における土台部に外壁用土台水切６５を配設する。そして，図５に示すごとく，上記土台部（土台柱）における出隅部には出隅用土台水切６１を，上記外壁用土台水切６５と連続して配設する。
【００３０】
第２工程においては，図６に示すごとく，上記構造躯体４１の前面に防水紙４６を貼設すると共に，該防水紙４６を介して，胴縁等の下地材４２を上記構造躯体４１（柱）に固定する。
第３工程においては，図１，図２に示すごとく，上記出隅柱１を，上記取付板３の上記脚板部３２において上記下地材４２に釘打ち固定する。
【００３１】
第４工程においては，上記出隅本体２における上記出隅側端面２３に上記左右の外壁板５の外壁側端面５３を対向させた状態で，該外壁板５を上記下地材４２に釘打ち固定する。
第５工程においては，上記出隅側端面２３と上記外壁板５の外壁側端面５３との間に，目地処理材４３を打設する。
【００３２】
また，上記第３工程を行う際に，図７〜図１０に示すごとく，上記建築物の軒天部に出隅用見切縁７１を配設し，該出隅用見切縁７１の中央部の上端収容部７１１に上記出隅柱１の上端部１７を収容する。また，上記第４工程を行うに当っては，図８，図９に示すごとく，上記出隅用見切縁７１の左右に外壁用見切縁７５を配設し，上記出隅用見切縁７１の左右の上辺収容部７１７，７１８と，上記外壁用見切縁７５の上辺収容部７５１に，最上段の外壁板５の上辺部５７を収容する。
【００３３】
また，図２，図３に示すごとく，上記出隅本体２の上記出隅意匠面２１は，上記出隅背面２２と略平行に形成された平面状の平坦部２１１を有している。更に，上記出隅意匠面２１は，上記平坦部２１１の左右において斜め後方に後退した傾斜部２１２を有する。
【００３４】
上記出隅柱１における出隅本体２は窯業系材料からなり，上記外壁板５と同質の材料からなる。
また，上記出隅側端面２３及び出隅意匠面２１の傾斜部２１２は，上記出隅背面２２及び上記平坦面２１１に対して略１３５度の角度に形成されている。
【００３５】
また，上記取付板３は，メッキ鋼板等からなる，厚み約０．３５ｍｍの金属板を折り曲げ加工してなる。また，左右の上記脚板部３２のなす角度は，略９０度である。
また，上記出隅柱１は上下方向に長尺であり，上下方向の長さが，例えば３０００ｍｍである。
【００３６】
また，図２，図３に示すごとく，上記取付板３は，上記固定板部３１と上記脚板部３２との間に，前方へ突出した縦目地用突出部３３を設けてなる。該縦目地突出部３３は，断面略コ字状に形成されており，一方の側面３３２は上記出隅本体２の側端面２３に対面し，他方の側面３３３は外壁板５の外壁側端面５３に対面する。
【００３７】
上記出隅柱１を製造するにあたっては，長尺平板状の出隅基材を切削加工することにより出隅本体２を製造する。即ち，上記出隅基材の表側面における左右の角部を上下にわたり切削することにより上記傾斜部２１２を形成し，裏側面における左右の角部を上下にわたり切削することにより上記出隅側端面２３を形成する。
そして，必要に応じて，該出隅本体２に塗装を施す。
【００３８】
次いで，図３に示すごとく，該出隅本体２を上記取付板３に接着固定する。接着に当っては，上記取付板３の固定板部３１と上記出隅本体２の出隅背面２２との間に，変性シリコーン系，エポキシ系，ウレタン系等の接着剤１１を介在させて，両者を押圧して養生する。
【００３９】
上記出隅部施工方法の上記第３工程において，上記出隅柱１を上記下地材４２へ固定する手段としては釘４４を用いる（図１，図２）。
また，上記第４工程において，上記外壁板５を上記下地材４２に固定する手段としても釘４５を用いる。
【００４０】
次に，上記出隅部施工方法により得られる出隅部施工構造４につき説明する。該出隅部施工構造４は，図１，図２に示すごとく，上記建築物の構造躯体４１に下地材４２を介して，上記出隅柱１及び該出隅柱１の左右に配された外壁板５とを留め付けてなる。
【００４１】
上記構造躯体４１の前面には防水紙４６が貼設してある。
上記出隅柱１は，上記取付板３の上記脚板部３２において上記下地材４２及び構造躯体４１に固定されている。
図２に示すごとく，上記出隅本体２における上記出隅側端面２３は，上記左右の外壁板５の外壁側端面５３に対向していると共に，上記出隅側端面２３と上記外壁板５の外壁側端面５３との間には，目地処理材４３が配設してある。
【００４２】
図２に示すごとく，上記取付板３における縦目地用突出部３３は，上記出隅本体２の出隅側端面２３と上記外壁板５の外壁側端面５３との間に配置されており，ハットジョイナーの機能を発揮する。
そして，上記出隅側端面２３と上記外壁側端面５３との間には，約１０ｍｍの間隔が形成されている。
また，上記出隅意匠面２１の傾斜部２１２と上記外壁意匠面５１とは，略同一平面上に配置されるように施工してある。
【００４３】
また，上記出隅柱１の出隅本体２は，上記外壁板５と同質の材料からなる。また，上記目地処理材４３としては，シーリング材を用いている。なお，上記取付板３の縦目地用突出部３３の前面３３１には，３面接着防止のためのボンドブレーカーが貼設してある（図示略）。これにより，上記目地処理材４３（シーリング材）が上記取付板３に固着しないようにして，上記出隅側端面２３と上記外壁側端面５３と上記縦目地用突出部３３との３面に拘束されないようにしてある。
【００４４】
また，図１に示すごとく，最下段の上記外壁板５の下方であって上記構造躯体４１における土台部には外壁用土台水切６５が配設してある。そして，上記土台部における出隅部には，出隅用土台水切６１が上記外壁用土台水切６５とその一部を重ねて連続して配設してある。
【００４５】
上記出隅用土台水切６１は，図１１に示すごとく，互いに上記出隅部の角度と略同等の角度（本例においては略直角）をもって形成され，上記構造躯体４１に固定する一対の背板部６１１と，該一対の背板部６１１の下方においてそれぞれ前方下方へ屈曲した水切板部６１２とを有する。
【００４６】
このように構成することにより，上記出隅用土台水切６１は，上記出隅柱１の出隅意匠面２１を伝ってきた雨水を前方へ排出することができる。同様に，上記外壁用土台水切６５は，上記外壁板５の外壁意匠面５１を伝ってきた雨水を前方へ排出することができる。
【００４７】
上記背板部６１１と上記水切板部６１２との間には，前方へ突出した段部６１３が形成されている。図１２に示すごとく，上記下地材４２は，その下端部４２８を上記段部６１３に載置した状態で構造躯体４１に釘打ち固定されている。
【００４８】
また，上記水切板部６１２は，その前端から略鉛直下方へ屈曲した前板部６１４と，該前板部６１４の後方であって上記水切板部６１２の下方には，カバー板部６１５が設けてある。該カバー板部６１５は，上記前板部６１４と土台４１１との間における隙間からの鼠等の小動物の侵入を防ぐ，いわゆる防鼠機能を有する。
【００４９】
具体的には，上記出隅用土台水切６１のカバー板部６１５の後端は，上記土台４１１の前面３１１に当接される。また，上記カバー板部６１５には，鼠等の小動物が通過できない程度の大きさの通気穴６１６が複数設けてあり，該通気穴６１６を通じて外気を取り入れることにより，建物土台部の通気が図られるようになっている。
【００５０】
また，図４に示すごとく，外壁板５の下方に配設される外壁用土台水切６５も，平板状の背板部６５１と，水切板部６５２と，段部６５３と，前板部６５４と，カバー板部６５５と，通気穴６５６とを有する。これら外壁用土台水切６５の各部は，上記出隅用土台水切６１の対応各部の延長上に配置され，上記出隅用土台水切６１と同様の機能を有する。
【００５１】
また，図１２に示すごとく，上記出隅柱１の下端部１８は，上記出隅用土台水切の水切板部６１２よりも，約１０ｍｍ（符号Ｄ）上方に配置している。この寸法は，上記出隅意匠面２１を含む平面において測定した値である。
また，上記出隅部施工構造４は，図８〜図１０に示すごとく，上記出隅柱１の上端部１３を収容する上端収容部７１１を有する出隅用見切縁７１を，軒天部に配設してなる。上記出隅用見切縁７１には，上記出隅柱１の後方における通気層１９への外気の導入・排出を行うための換気孔７１２が形成してある。
また，図８，図９に示すごとく，上記出隅用見切縁７１の左右には，最上段の上記外壁板５の上辺部５７を収容する上辺収容部７５１を有する外壁用見切縁７５が配設してある。
【００５２】
上記出隅用見切縁７１は，図９に示すごとく，互いになす角が略直角となるように配された左右の上辺収容部７１７，７１８と，中央部に形成された上記上端収容部７１１とを有する。該上端収容部７１１には，上記出隅本体２の上端部１７が収容され，上記上辺収容部７１７，７１８には，上記出隅柱１の取付板３の上端部及び上記外壁板５の上辺部５７の一部が収容される。
【００５３】
また，図１０（図９のＡ−Ａ線矢視断面図）に示すごとく，上記出隅用見切縁７１は，上記上端収容部７１１及び上辺収容部７１７，７１８の上方において，上記軒天材４８に当接する当接板部７１５を有する。また，上記上端収容部７１１及び上辺収容部７１７，７１８の前面下端部には，通気孔７１２が形成してある。上記外壁用見切縁７５は，上記出隅用見切縁７１の左右の上辺収容部７１７，７１８の延長上に配されるよう長尺状に形成されている。
【００５４】
次に，本例の作用効果につき説明する。
上記出隅本体２は一体的に形成され，接合部を有しないため，外観意匠性に優れた出隅部施工構造４を構築することができる。
また，図１，図２に示すごとく，上記出隅部施工構造４は，上記出隅柱１の出隅意匠面２１によって，出隅部を面取りした外形に構成することができる。これにより，出隅部施工構造４の外観が緩やかな印象となり，外観意匠性を向上させることができる。
【００５５】
また，上記出隅本体２は，上述のごとく一体的に形成されているため，上記出隅本体２の製造にあたっては，接合，接着の工程を必要としない。それ故，上記出隅本体２は製造が容易であり，その結果，出隅柱１の製造が容易となる。これにより，上記出隅部施工構造４を安価に得ることが可能となる。
また，上記出隅柱１は上記取付板３を有し，該取付板３における脚板部３２において，下地材４２及び構造躯体４１に上記出隅柱１を釘打ち固定することができる。そのため，上記出隅柱１を容易に施工することができる。
【００５６】
また，上記出隅部１には上記出隅用土台水切６１を用いるため（図１），容易に，土台部の外観意匠性，防水性に優れた出隅部施工構造４を構築することができる。また，上記出隅用土台水切６１を配設することにより，出隅部施工構造４の通気性を確保することができる。
また，上記第５工程において，上記目地処理材４３を打設することにより，出隅柱１と外壁板５との間からの雨水の浸入を防ぎ，耐久性に優れた出隅部施工構造４を構築することができる。
【００５７】
また，上記のごとく出隅用見切縁７１を用いることにより（図８），容易に，軒天部における外観意匠性を向上させると共に，出隅部施工構造４の通気性を向上させることができる。
また，上記出隅用見切縁７１の上端収容部７１１に上記出隅柱１の上端部１７を収容させることにより，上記出隅柱１の長さに多少の誤差があっても，外観に影響を与えることがない。そのため，外観意匠性に優れた出隅部施工構造４を容易に構築することができる。
【００５８】
また，図１２に示すごとく，上記出隅柱１の下端部１８は，上記出隅用土台水切７１の水切板部７１２よりも，約１０ｍｍ上方に配置している。そのため，通気性，外観意匠性に一層優れた出隅部施工構造を得ることができる。即ち，上記出隅柱１の下端部１８と水切板部７１２との間の間隔Ｄが充分確保されているため，上記出隅柱１の後方へ外気を充分に導入することができる。また，上記間隔Ｄが大きすぎないため，土台部の外観意匠性を確保することができる。
【００５９】
以上のごとく，本例によれば，製造容易，安価かつ外観意匠性に優れた出隅柱を用いた出隅部施工方法及び出隅部施工構造を提供することができる。
【図面の簡単な説明】
【図１】実施例における，出隅部施工構造の斜視図。
【図２】実施例における，出隅部施工構造の水平断面図。
【図３】実施例における，出隅柱の斜視図。
【図４】実施例における，出隅部施工方法の第１工程の説明図。
【図５】実施例における，図４に続く出隅部施工方法の第１工程の説明図。
【図６】実施例における，出隅部施工方法の第２工程の説明図。
【図７】実施例における，軒天部の出隅部施工方法の説明図。
【図８】実施例における，軒天部の出隅部施工構造の説明図。
【図９】実施例における，出隅用見切縁及び出隅部施工構造の水平断面図。
【図１０】図９のＡ−Ａ線矢視断面図。
【図１１】実施例における，出隅用土台水切の斜視図。
【図１２】実施例における，出隅部施工構造の土台部における縦断面図。
【図１３】従来例における，板材及び板片の平面図。
【図１４】従来例における，切断面を形成した一対の板片の断面図。
【図１５】従来例における，切断面同士を対向させて配置した一対の板片の断面図。
【図１６】従来例における，一対の板片を接合した状態を表す断面図。
【図１７】従来例における，出隅柱の断面図。
【符号の説明】
１．．．出隅柱，
２．．．出隅本体，
２１．．．出隅意匠面，
２２．．．出隅背面，
２３．．．出隅側端面，
３．．．取付板，
３１．．．固定板部，
３２．．．脚板部，
４．．．出隅部施工構造，
４１．．．構造躯体，
４２．．．下地材，
４３．．．目地処理材，
４６．．．防水紙，
５．．．外壁板，
６１．．．出隅用土台水切，
７１．．．出隅用見切縁，
【図１】
0003630145.tif 000002
【図２】
0003630145.tif 000003
【図３】
0003630145.tif 000004
【図４】
0003630145.tif 000005
【図５】
0003630145.tif 000006
【図６】
0003630145.tif 000007
【図７】
0003630145.tif 000008
【図８】
0003630145.tif 000009
【図９】
0003630145.tif 000010
【図１０】
0003630145.tif 000011
【図１１】
0003630145.tif 000012
【図１２】
0003630145.tif 000013
【図１３】
0003630145.tif 000014
【図１４】
0003630145.tif 000015
【図１５】
0003630145.tif 000016
【図１６】
0003630145.tif 000017
【図１７】
0003630145.tif 000018